(57)【要約】【課題】電極の底面の機械強度を確保し、電極開閉時の衝撃で電極が変形するのを抑制して真空バルブの遮断性能が大きく低下することを防ぐことを目的とする。【解決手段】底面３を有する円筒状のコイル導体４、およびこの円筒状のコイル導体４の底面３と対向する端部に電気的に接続された接点６で構成された第一の電極１と、第一の電極１と接点６を対向させて接離可能に設けられた第二の電極２とが、真空容器内に収納されて構成されており、コイル導体４は、円筒側面に傾斜スリット８を有し、底面３は、傾斜スリット８に繋がった窪み９を有するものである。【選択図】図１
2015082412.tif 000002
【特許請求の範囲】
【請求項１】
底面を有する円筒状のコイル導体、
およびこの円筒状のコイル導体の前記底面と対向する端部に電気的に接続された接点
で構成された第一の電極と、
前記第一の電極と前記接点を対向させて接離可能に設けられた第二の電極とが、
真空容器内に収納された真空バルブにおいて、
前記コイル導体は、円筒側面に傾斜スリットを有し、
前記底面は、前記傾斜スリットに繋がった窪みを有することを特徴とする真空バルブ。
【請求項２】
前記窪みは、前記コイル導体が発生する縦磁界の磁界方向に溝状に設けられたことを特徴とする請求項１に記載の真空バルブ。
【請求項３】
底面を有する円筒状のコイル導体、
およびこの円筒状のコイル導体の一方の端部に電気的に接続された接点
で構成された第一の電極と、
前記第一の電極と前記接点を対向させて接離可能に設けられた第二の電極とが、
真空容器内に収納された真空バルブにおいて、
前記コイル導体は、円筒側面に傾斜スリットとこの傾斜スリットに連続して前記底面と接する面の一部に円周側に延在する円周スリットとを有することを特徴とする真空バルブ。
【発明の詳細な説明】
【技術分野】
【０００１】
この発明は、電力系統における回路の開閉に用いられる真空遮断器の真空バルブに関するものである。
【背景技術】
【０００２】
真空バルブには、電流遮断性能を向上させるため、縦磁界を利用する縦磁界電極が用いられている。大電流を遮断する場合や定格電圧を上げるには、より広くアークを拡散させるために、電極の接点間に発生する縦磁界強度を上げる必要がある。縦磁界を強くするために、例えば円筒状のコイル導体の側面に斜めスリットを備えた電極で構成された真空バルブが開示されている（例えば、特許文献１参照）。また、縦磁界をさらに強くするために、例えばコイル導体の側面に備えられた周方向の斜めスリットに連続する形で底面にもスリットを備えた電極で構成された真空バルブも開示されている（例えば、特許文献２参照）。
【先行技術文献】
【特許文献】
【０００３】
【特許文献１】特開平０８−０２２７５１号公報（３頁、図２）
【特許文献２】特開２００３−０８６０６８号公報（３頁、図５）
【発明の概要】
【発明が解決しようとする課題】
【０００４】
従来の斜めスリットに連続する形で底面にもスリットを備えた構造の電極では、電極の機械強度が低下し、電極開閉時の衝撃で電極が変形する恐れがある。そのため、電極内部に設置されている補強体などによって、電極の開閉方向の機械強度はある程度補強されている。このように構成された電極においては、補強体によってコイル導体の側面の斜めスリットの変形を防ぐことができるが、底面の水平方向の機械強度は補強されていないため、底面のスリットの変形を防ぐことができず、最悪の場合、底面のスリットが接触する恐れがある。底面のスリットが接触すると縦磁界が大きく変化して、真空バルブの遮断性能が大きく低下するという問題があった。
【０００５】
この発明は、上記のような課題を解決するためになされたもので、電極の底面の機械強度を確保し、電極開閉時の衝撃で電極が変形するのを抑制して真空バルブの遮断性能が大きく低下することを防ぐことを目的としている。
【課題を解決するための手段】
【０００６】
この発明に関わる真空バルブは、底面を有する円筒状のコイル導体、およびこの円筒状のコイル導体の底面と対向する端部に電気的に接続された接点で構成された第一の電極と、第一の電極と接点を対向させて接離可能に設けられた第二の電極とが、真空容器内に収納されて構成されており、コイル導体は、円筒側面に傾斜スリットを有し、底面は、傾斜スリットに繋がった窪みを有するものである。
【発明の効果】
【０００７】
この発明は、コイル導体の底面にコイル導体の円筒側面に形成された傾斜スリットに繋がった窪みを有しているので、電極の底面の機械強度を確保し、電極開閉時の衝撃で電極が変形するのを抑制して真空バルブの遮断性能が大きく低下することを防ぐことができる。
【図面の簡単な説明】
【０００８】
【図１】この発明の実施の形態１を示す真空バルブの電極の斜視図である。
【図２】この発明の実施の形態１を示す真空バルブの電極の平面図である。
【図３】この発明の実施の形態１を示す真空バルブの模式図である。
【図４】この発明の実施の形態２を示す真空バルブの電極の平面図である。
【図５】この発明の実施の形態３を示す真空バルブの電極の斜視図である。
【発明を実施するための形態】
【０００９】
実施の形態１．
図１は、この発明を実施するための実施の形態１における真空バルブの第一の電極１および第二の電極２を示す斜視図である。本実施の形態における第一の電極１および第二の電極２は同じ構造である。したがって、第一の電極１を用いて電極の構造を説明する。第一の電極１は、底面３を有するカップ形の円筒形状のコイル導体４と、コイル導体４の開口側の上面に凸形状に設けられた通電面５と、この通電面５に接合される接点６とを備えている。円柱状の通電棒７は、底面３の中央に接続されている。真空バルブの第一の電極１と第二の電極２とは、接点６が互いに接触および離合するように対向して配置されている。コイル導体４の側面には、その側面を貫通する複数の斜めスリット８が形成されている。この複数の斜めスリット８は、円筒状のコイル導体４の軸線に対して傾斜させて形成されている。斜めスリット８同士の間のコイル導体４の開口側に通電面が設けられている。さらに、斜めスリット８は底面３に到達するように構成されており、この斜めスリット８と接続される形で底面３の内面に円形状の窪み９が形成されている。
【００１０】
一般に、コイル導体４、通電面５および通電棒７は銅で構成されており、接点６は、銀を主成分とする合金、例えばＡｇ−W−C系の合金、もしくは銅を主成分とする合金、例えばＣｕ−Ｃｒ系の合金などで構成されている。
【００１１】
図２は、本実施の形態における第一の電極のコイル導体４を開口側から見た平面図である。コイル導体４の側面に形成された６本の斜めスリット８は、底面３に達するように切り込まれている。底面３の内面に形成された窪み９は、この斜めスリット８に接続される形で６個離散して形成されている。円形状の窪み９の直径は、例えば円筒形状のコイル導体４の直径に対して１／４〜１／６であり、円形状の窪み９の深さは、例えば底面３の厚さに対して３／４〜４／５である。したがって、例えば底面３の厚みが１０ｍｍの場合、窪み９の深さは、７．５〜８ｍｍである。
【００１２】
図３は、本実施の形態における真空バルブ１０の全体を示す模式図である。真空バルブ１０の容器は、セラミックあるいはガラスなどで構成された絶縁円筒１１の両端を金属で構成された固定側フランジ１２ａと可動側フランジ１２ｂとで塞がれた真空容器で構成されている。この絶縁円筒１１の内部は、例えば１０-７Ｐａ程度の真空に保たれている。固定側フランジ１２ａに固定して接続される固定側通電棒７ａの先端に第一の電極が固定電極１３ａとして接続されている。また、可動側フランジ１２ｂにベローズ１４を介して接続される可動側通電棒７ｂの先端に第二の電極が可動電極１３ｂとして接続されている。電流通電時には固定電極１３ａと可動電極１３ｂとは接触している。電流遮断時にはベローズ１４を介して可動側フランジ１２ｂに接続されている可動通電棒７ｂが下方向に動いて、固定電極１３ａと可動電極１３ｂとが離合される。さらに、固定電極１３ａおよび可動電極１３ｂの周囲には導電性のシールド１５が設けられている。このシールド１５は、電流遮断時に発生するアークが絶縁円筒１１の内側表面に付着するのを防止するために設けられている。
【００１３】
このような真空バルブにおいては、電流遮断時に固定電極１３ａの接点と可動電極１３ｂの接点との間にアークが発生する。このアークを発生させる電流は、それぞれの電極のコイル導体の斜めスリット間が通電経路となる。このとき、コイル導体の斜めスリット間の通電経路を流れる電流によって固定電極１３ａの接点と可動電極１３ｂの接点との間の空間において広範囲に縦方向の磁界が発生する。この縦方向の磁界によって、接点間に発生したアークは、そのアークの発生箇所に留まることができずに広範囲に拡散する。その結果、接点間での局所的な温度上昇が抑制されるので、より大電流の遮断が可能となる。
【００１４】
本実施の形態の真空バルブでは、図２に示したように、コイル導体の側面の５本のスリットに接続される形で底面に窪み９が６個形成されている。上述の縦方向の磁界を発生する電流は、図２において太い矢印で示したように、底面の窪み９の間を通ってコイル導体のスリット間の通電経路に流れる。なぜなら、底面の窪み９の部分の断面積に比べて窪み９同士間の部分の断面積の方が大きいので、電気抵抗は窪み９同士間の方が小さくなり、アークを発生させる電流は、通電棒７から窪み９同士間を通ってスリット間の通電経路に流れる。例えば、上述のように窪み９の深さを、底面３の厚さに対して３／４〜４／５とした場合、窪み部分の電気抵抗は、窪み同士間の部分の電気抵抗の４〜５倍となる。その結果、底面３での電流経路は、窪み同士間の部分が支配的となる。
【００１５】
このように構成された真空バルブにおいては、通電棒からコイル導体を経由して接点まで流れる電流の通電経路が長くなるため、接点間に発生する縦方向の磁界が強くなり、アークを拡散させる効果が向上する。さらに、底面にスリットを形成していないので、底面の機械強度を確保することができ、電極開閉時の衝撃で電極が変形するのを抑制して真空バルブの遮断性能が大きく低下することを防ぐことができる。
【００１６】
また、底面にスリットを形成するには切削加工が必要となるが、本実施の形態のように底面に窪みを形成するにはプレス加工でよいので、電極の加工も容易となる。
【００１７】
なお、本実施の形態においては、コイル導体の側面と底面とは一体の構成で説明したが、コイル導体の側面と底面とは別構成としてもよい。また、コイル導体と接点との間に通電面を備える構成で説明したが、通電面を備えずにコイル導体に直接接点が接続されてもよい。さらに、窪みの形状を円形の形状としたが、円形以外の例えば四角形の形状などでもよい。
【００１８】
実施の形態２．
実施の形態２においては、第一の電極および第二の電極の構成は実施の形態１と同様であり、底面３に形成された窪みの形状が異なっている。図４は、本実施の形態における電極を底面側から見た平面図である。本実施の形態においては、図４に示したように、斜めスリット８に繋がって底面に形成された窪み９は、円形の小さな窪みが連結された構成されている。本実施の形態では、円形の小さな窪みを５つ連結してひとつの溝状の窪み９を形成している。それぞれの円形の小さな窪みの直径は、例えば円筒形状のコイル導体４の直径に対して１／２０〜１／３０であり、それぞれの円形の小さな窪みの深さは、例えば底面３の厚さに対して３／４〜４／５である。
【００１９】
本実施の形態の電極を備えた真空バルブでは、図４において太い矢印で示したように、実施の形態１と同様に縦方向の磁界を発生する電流は底面の溝状の窪み９同士間を通ってスリット間の通電経路に流れる。
【００２０】
このように構成された電極を備えた真空バルブにおいては、通電棒からコイル導体を経由して接点まで流れる電流の通電経路が長くなるため、接点間に発生する縦方向の磁界が強くなり、アークの拡散させる効果が向上する。さらに、底面にスリットを形成していないので、底面の機械強度が確保され、電極開閉時の衝撃で電極が変形するのを抑制して真空バルブの遮断性能が大きく低下することを防ぐことができる。
【００２１】
また、円形の小さな窪みを連結して１つの溝状の窪みを形成しているので、加工が容易であるとともに、窪みの形状を変更する自由度が大きくなる。
【００２２】
なお、本実施の形態においては、円形の小さな窪みを連結して１つの溝状の窪みを形成している。その形成方法としては、例えば１つの円形の窪みをドリルで形成し、その円形の窪みを連結して１つの溝状の窪みを形成する方法がある。それ以外の方法として、円形のフライスを用いて連続して１つの横長の溝状の窪みを形成してもよい。
【００２３】
実施の形態３．
図５は、実施の形態３における第二の電極２を示す斜視図である。本実施の形態においては、実施の形態１と同様に第一の電極と第二の電極とは同じ構造である。本実施の形態の電極は、底面３を有するカップ形の円筒形状のコイル導体４と、コイル導体４の開口側の上面に凸形状に設けられた通電面５と、この通電面５に接合される接点６とを備えている。円柱状の通電棒７は、底面３の中央に接続されている。コイル導体４の側面には、その側面を貫通する複数の斜めスリット８が形成されている。斜めスリット８は底面に到達するように構成されており、この斜めスリット８と接続される形でコイル導体４の底面と接する部分に水平スリット１８が形成されている。
【００２４】
本実施の形態の電極を備えた真空バルブでは、図５において太い矢印で示したように、縦方向の磁界を発生する電流は底面から斜めスリット８と水平スリット１８との間の通電経路に流れる。
【００２５】
このように構成された電極を備えた真空バルブにおいては、通電棒からコイル導体を経由して接点まで流れる電流の通電経路が長くなるため、接点間に発生する縦方向の磁界が強くなり、アークの拡散させる効果が向上する。さらに、底面にスリットや窪みを形成していないので、底面の機械強度が確保され、電極開閉時の衝撃で電極が変形するのを抑制して真空バルブの遮断性能が大きく低下することを防ぐことができる。
【００２６】
なお、本実施の形態においては、コイル導体の側面と底面とは一体の構成で説明したが、コイル導体の側面と底面とは別構成としてもよい。また、コイル導体と接点との間に通電面を備える構成で説明したが、通電面を備えずにコイル導体に直接接点が接続されてもよい。
【符号の説明】
【００２７】
１  第一の電極、  ２  第二の電極、  ３  底面、  ４  コイル導体、  ５  通電面、  ６接点、  ７  通電棒、  ８斜めスリット、９  窪み、  １０  真空バルブ、  １１  絶縁円筒、  １２ａ  固定側フランジ、  １２ｂ  可動側フランジ、  １３ａ  固定電極、  １３ｂ  可動電極、  １４  ベローズ、  １５  シールド、  １８  水平スリット
【図１】
2015082412.tif 000003
【図２】
2015082412.tif 000004
【図３】
2015082412.tif 000005
【図４】
2015082412.tif 000006
【図５】
2015082412.tif 000007